(57)【要約】      （修正有）【課題】巻くなどの手間を掛けずに足元からの冷えを防ぐことができるひざ掛けを提供する。【解決手段】少なくとも腰から足首までを覆うひざ掛け１０であって、ひざ掛けの一部分であって足首に当接する部分に、力を加えると巻き付くようにして丸まり、物を把持するように構成されたタックル１１ａ、１１ｂを備える。【選択図】図５
0003227688.tif 000002
【実用新案登録請求の範囲】
【請求項１】
少なくとも腰から足首までを覆うひざ掛けであって、
前記ひざ掛けの一部分であって前記足首に当接する部分に、力を加えると巻き付くようにして丸まり、物を把持するように構成されたタックルを備えることを特徴とするひざ掛け。
【請求項２】
前記タックルは２つ備えられ、それぞれのタックルが左右それぞれの前記足首に巻き付き把持可能なように構成されたことを特徴とする請求項１又は２に記載のひざ掛け。
【請求項３】
前記ひざ掛けの一部分であって左右それぞれの足の膝及び／又はふくらはぎに当接する部分に、前記タックルとは別のタックルが配置されていることを特徴とする請求項１又は２に記載のひざ掛け。
【請求項４】
前記ひざ掛けの一部分であって前記腰に当接する部分に前記タックルとは別の腰用のタックルを備えることを特徴とする請求項１から３のいずれか１項に記載のひざ掛け。
【請求項５】
前記各タックルは前記ひざ掛けから着脱可能に構成されたことを特徴とする請求項１から４のいずれか１項に記載のひざ掛け。
【考案の詳細な説明】
【技術分野】
【０００１】
本考案は、体を覆うひざ掛けに関するものである。
【背景技術】
【０００２】
冬場の冷えや夏場のエアコンによる冷えに悩みを抱えている人は多く、足元からの下半身の冷えに対しては主に腰から足首にひざ掛け（下記の特許文献１を参照）を覆うことで対処している。これにより冷気が遮断され、冷えが緩和される。ひざ掛けを使用するケースの１つとしては、例えば椅子に着座した状態で腰から足元にひざ掛けを掛けて使用する場合が考えられる。
【先行技術文献】
【特許文献】
【０００３】
【特許文献１】実用新案登録第３１４３０３９号
【考案の概要】
【考案が解決しようとする課題】
【０００４】
しかし、ひざ掛けを腰から足元に覆うように掛けても、単に腰から足元を上から覆っているだけであるため、特に足元の周囲からの冷気を遮断することができず、足元からの冷えを完全に防ぐことは難しかった。また、足元の冷えを防ぐため、椅子に着座した際に足元にひざ掛けを巻くこともできるが巻く手間が生じ、さらに巻いた状態で足や腰などを動かすと巻いたひざ掛けがはだけてしまい、巻き直す手間も生じていた。
【０００５】
本考案は、上記従来の問題を解消するためのものであって、巻くなどの手間を掛けずに足元からの冷えを防ぐことができるひざ掛けを提供することにある。
【課題を解決するための手段】
【０００６】
前記課題を解決するために、請求項１記載の考案にあっては、少なくとも腰から足首までを覆うひざ掛けであって、前記ひざ掛けの一部分であって前記足首に当接する部分に、力を加えると巻き付くようにして丸まり、物を把持するように構成されたタックルを備えることを特徴とする。
【０００７】
請求項２記載の考案にあっては、前記タックルが２つ備えられ、それぞれのタックルが左右それぞれの前記足首に巻き付き把持可能なように構成されたことは好ましい態様である。
【０００８】
請求項３記載の考案にあっては、前記ひざ掛けの一部分であって左右それぞれの足の膝及び／又はふくらはぎに当接する部分に、前記タックルとは別のタックルが配置されていることは好ましい態様である。
【０００９】
請求項４記載の考案にあっては、前記ひざ掛けの一部分であって前記腰に当接する部分に前記タックルとは別の腰用のタックルを備えることは好ましい態様である。
【００１０】
請求項５記載の考案にあっては、前記各タックルが前記ひざ掛けから着脱可能に構成されたことは好ましい態様である。
【考案の効果】
【００１１】
請求項１記載のひざ掛けにあっては、、少なくとも腰から足首までを覆うひざ掛けであって、前記ひざ掛けの一部分であって前記足首に当接する部分に、力を加えると巻き付くようにして丸まり、物を把持するように構成されたタックルを備えることにより、巻くなどの手間を掛けずに足元からの冷えを防ぐことができる。
【００１２】
請求項２記載のひざ掛けにあっては、前記タックルが２つ備えられ、それぞれのタックルが左右それぞれの前記足首に巻き付き把持可能なように構成されたことにより、左右の足をそれぞれ自由に動かすことができる。
【００１３】
請求項３記載のひざ掛けにあっては、前記ひざ掛けの一部分であって左右それぞれの足の膝及び／又はふくらはぎに当接する部分に、前記タックルとは別のタックルが配置されていることにより、膝やふくらはぎからの冷えを防ぐことができる。
【００１４】
請求項４記載のひざ掛けにあっては、前記ひざ掛けの一部分であって前記腰に当接する部分に前記タックルとは別の腰用のタックルを備えることにより、ひざ掛けのズレ落ちを防ぐことができる。
【００１５】
請求項５記載のひざ掛けにあっては、前記各タックルが前記ひざ掛けから着脱可能に構成されたことにより、利用者の好みの位置に合わせてタックルを足首や腰に巻き付けることができる。
【図面の簡単な説明】
【００１６】
【図１】本考案に係るひざ掛けの一実施形態を示す斜視図である。
【図２】本考案に係るひざ掛けの他の一実施形態を示す図である。
【図３】本考案に係るひざ掛けの他の一実施形態を利用して足を覆う際の様子を示す図である。
【図４】本考案に係るひざ掛けの他の一実施形態を利用して足を覆った際の様子を示す図である。
【図５】本考案に係るひざ掛けの外側フリースを示す図である。
【図６】本考案に係るひざ掛けを上半身を覆うブランケットとして利用した際の正面から様子を示す図である。
【図７】本考案に係るひざ掛けを上半身を覆うブランケットとして利用した際の側面からの様子を示す図である。
【図８】本考案に係るひざ掛けを上半身を覆うブランケットとして他の態様で利用した際の様子を示す図である。
【図９】本考案に係るひざ掛けを防寒スカートとして利用した際の様子を示す図である。
【図１０】本考案に係るひざ掛けを利用して着座した利用者を示す図である。
【考案を実施するための形態】
【００１７】
以下、本考案に係るひざ掛けを、一実施形態に基づき、図面を参照して説明する。
【００１８】
まず、一実施形態の構成について説明する。図１〜図１０は本考案に係る一実施形態のひざ掛けを説明するための図である。
【００１９】
この一実施形態のひざ掛け１０は、図１に示すように、少なくとも腰から足首までを覆うひざ掛け１０であって、ひざ掛け１０の一部分であって足首に当接する部分に、力を加えると巻き付くようにして丸まり、物を把持するように構成されたタックル１１（１１ａ、１１ｂ）を備える。この一実施形態のひざ掛け１０は足首までを覆うものとして説明しているが、例えば足のつま先までを覆うひざ掛けであってもよい。
【００２０】
ここで、タックル１１とは、タックルバンド又は反射板とも言い、タックル１１に力を加えると巻き付くようにして丸まり、物を把持するように構成された反射材を言う。すなわち、タックル１１はタックル１１に力が加わると物（例えば、足首、腰、膝、ふくらはぎなど）の部分に巻き付き把持可能なように構成されている。タックル１１が巻き付く物は上記に限定されるものではなく、他の部位（例えば、後述する手首や脇など）であってもよい。なお、タックル１１以外の後出するタックルについても同様に構成されるものである。
【００２１】
図１に示す例では、タックル１１は２つ備えられ、それぞれのタックル１１ａ、１１ｂが左右それぞれの足首に巻き付き把持可能なように構成される。タックル１１ａとタックル１１ｂの間の距離は、例えば人の肩幅程度の距離が好ましいがこれに限定されるものではなく、足の動きを加味して肩幅程度の距離より長くしてもよい。
【００２２】
また、ひざ掛け１０を利用する人の好みでタックル１１ａとタックル１１ｂとの間の距離を変更できるように、タックル１１ａ、１１ｂそれぞれが移動可能にひざ掛け１０に配置されるようにしてもよい。移動可能にする方法としては、例えばひざ掛け１０の内部空間に不図示のタックル用の通路を設け、その通路内でタックル１１ａ、１１ｂを移動させる方法である。ひざ掛け１０の内部空間とは、例えばひざ掛け１０が表生地と裏生地を貼り合わせて構成されるものである場合に、貼り合わせにより貼り合わせた側にできる表生地と裏生地との間にできる空間を言う。なお、タックル１１ａ、１１ｂのように２つに分けずに１つのタックルで左右の足首に把持可能に巻き付くよう構成されてもよい。
【００２３】
また、図２に示すように、タックル１１（１１ａ、１１ｂ）以外の膝用のタックル１３（１３ａ、１３ｂ）、ふくらはぎ用のタックル１４（１４ａ、１４ｂ）が、ひざ掛け１０の一部分であって左右それぞれの足の膝及び／又はふくらはぎに当接する部分に配置されるようにしてもよい。このような構成にすることによって、ひざ掛け１０が下半身に対して、より密着して冷えを防止することが可能となる。
【００２４】
なお、タックル１３ａ、１３ｂ及びタックル１４ａ、１４ｂをそれぞれ２つに分けずに１つのタックルで左右の膝やふくらはぎに把持可能に巻き付くよう構成されてもよい。２つに分けずに１つのタックルとすることにより、図３及び図４に示すように、足を足裏から覆うようにして足首部分のタックルに足の裏側３０から足首を把持させ、膝部分のタックルに足の前側から脛付近３１を把持させるようにすることが可能となる。これにより、例えば車いすやベビーカーなどに乗っている人の足元を覆って冷えを防ぐことができる。
【００２５】
また、タックル１１ａ、１１ｂ、１３ａ、１３ｂ、１４ａ、１４ｂはひざ掛け１０から着脱可能に構成されてもよい。すなわち、タックル１１ａ、１１ｂ、１３ａ、１３ｂ、１４ａ、１４ｂは、例えばマジックテープ（登録商標）やボタンなどの着脱可能にする部材によってひざ掛け１０に着脱可能とし、ひざ掛け１０の利用者が自分の好みの位置にタックル１１ａ、１１ｂ、１３ａ、１３ｂ、１４ａ、１４ｂを配置できるようにしてもよい。これにより、体格ごとのひざ掛け１０を用意する必要はなく、また体格が異なる人との共有使用も可能となる。
【００２６】
また、ひざ掛け１０は、図１や図２に示すように、ひざ掛け１０の一部分であって腰に当接する部分に腰用のタックル１２を備えてもよい。タックル１２はひざ掛け１０の利用者の腰に巻き付くように構成され、腰を把持し、ひざ掛け１０がズレ落ちないように固定させるものである。タックル１２もタックル１１ａ、１１ｂなどと同様、移動可能にひざ掛け１０に配置されるようにしてもよい。また、タックル１２はひざ掛け１０から着脱可能に構成されてもよい。すなわち、タックル１２は、例えばマジックテープ（登録商標）やボタンなどの着脱可能にする部材によってひざ掛け１０に着脱可能とし、ひざ掛け１０の利用者が自分の好みの位置にタックル１２を配置できるようにしてもよい。
【００２７】
なお、タックル１１ａ、１１ｂ、１３ａ、１３ｂ、１４ａ、１４ｂとタックル１２が巻き付く際の巻き付き度合いをタックルごとに異なるようにしてもよい。巻き付き度合いとは、例えばタックルが巻き付いた際の巻き付き半径の大小を言い、巻き付き半径が小さければ巻き付こうとする力が大きいため巻き付きの度合いが大きく、巻き付き半径が大きければ巻き付こうとする力が小さいため巻き付き度合いは小さい。このように構成することによって、より密着させたい部位については巻き付き度合いを大きくし、あまり密着させずに固定程度とさせたい部位については巻き付き度合いを小さくするなどすることが可能となる。
【００２８】
また、図５に示すように、タックル１１ａ、１１ｂで足首を把持していることを隠すため、前面に隠し生地（外側フリースとも言う）４０を設けてもよい。外側フリース４０はひざ掛け１０の一部の生地であってタックル１２の上部生地（タックル１２を挟んでタックル１１と対向する側の生地）をタックル１２を境にして外側（利用者側ではなくその反対側）に向けて折り返すことによってできるものであってもよい。また、ひざ掛け１０とは別の生地をひざ掛け１０に重ねて取り付けるようにしてもよい。これにより、タックル１１の把持によってできるシワなどを隠し、見栄えをよくすることが可能となる。なお、タックル１３ａ、１３ｂ、１４ａ、１４ｂがある場合にも同様である。
【００２９】
ひざ掛け１０本体の素材は、特に指定するものではなく、例えばフリース、毛布、アルミシート（保温、保冷）、遠赤外線素材（例えば、トルマリンなどの粉末を練り込んだもの）、バスタオル、ガーゼ、撥水素材などである。バスタオルやガーゼなどのような風通しのよい素材は蒸れを解消することが可能である。
【００３０】
また、ひざ掛け１０は、図２に示すように小物（カイロ、冷却シートなどを含む）を入れるための収納部１５を備えるものであってもよい。また、ひざ掛け１０の大きさは１つの決まった大きさに限定されるものではなく、太もも裏や臀部を覆う程度の大きさ（ロングタイプとも言う）であってもよい。
【００３１】
ひざ掛け１０がロングタイプの場合には、図６及び図７に示すように、肩から体を覆うブランケットのような使用をすることも可能である。ここではタックル１１（１１ａ、１１ｂ）、タックル１２がひざ掛け１０と着脱可能に構成されているとして説明するが、着脱可能でない場合には手首に当接する部分はタックル１１（１１ａ、１１ｂ）で手首を把持し、腰に当接する部分はタックル１２で腰を把持する。
【００３２】
タックル１１ａ、１１ｂ、タックル１２がひざ掛け１０と着脱可能である場合、タックル１１ａ、１１ｂそれぞれを左右それぞれの手首に当接するひざ掛け１０の部分に取り付け、タックル１２を腰に当接するひざ掛け１０の部分に取り付ける。これにより、上半身の冷えも防止することが可能となる。なお、背中や腰に当接する部分にカイロを収納できる収納部を設けるようにしてもよい。このように上半身や下半身を覆うことが可能なひざ掛け１０であれば、就寝時に身に着けることによって就寝時の冷えを防止することも可能である。特に寝相の悪い子供などにより効果的である。
【００３３】
また、夏場には、図８に示すように、冷却シートを収納できる収納部を手首や脇の下に当接する部分に設け、収納部に冷却シートを収納し、タックル（１１ａなど）で手首や脇の下を把持することも可能である。これにより、熱中症などを防止することができる。なお、首や背に当接する部分にも冷却シートを収納できる収納部を設けてもよい。また、頭にかぶるフード６０をひざ掛け１０に取り付け、額部分に当接する部分に冷却シートを収納できる収納部を設けてもよい。なお、この場合のひざ掛け１０の素材は風通しのよい素材であることが好ましい。
【００３４】
また、図９に示すように、ひざ掛け１０をスカートのようにしてタックル１１ａ、１１ｂそれぞれが左右それぞれのふくらはぎ付近を把持するようにして下半身を覆い、前面部をボタン７０などによって閉じるようにすることで自転車やスクーターなどに乗った際の防寒にもなる。このような構成により、風でめくれることなく、さらに車輪にひざ掛け１０が巻き込まれないようにすることができる。防寒に限らず、合羽としての役割を果たすことも可能となる。この際の素材も冬場と夏場で異なるようにしてもよく、更に撥水加工としてもよい。
【００３５】
また、ひざ掛け１０は不図示の電熱線などが配置され、電熱線に電源が供給されることによって電熱線から熱が放熱されるようにしてもよい。これにより、より冷えを防止することが可能となる。
【００３６】
具体的なひざ掛け１０の体への取付方法の一例について説明する。まず、ひざ掛け１０の利用者はひざ掛け１０のタックル１２を腰に当接させ、タックル１２の巻き付き方向に力を加える。これにより、タックル１２は利用者の腰に巻き付き、腰を把持する。
【００３７】
次に、利用者はひざ掛け１０のタックル１１ａ、１１ｂをそれぞれ左右の足首に当接させ、タックル１１ａ、１１ｂの巻き付き方向に力を加える。これにより、タックル１１ａ、１１ｂは利用者の足首に巻き付き、足首を把持する。
【００３８】
なお、タックル１２とタックル１１ａ、１１ｂの取付順は逆であってもよい。
【００３９】
図１０はひざ掛け１０を利用した利用者が椅子に着座した際の様子を示す図である。図１０に示すように、利用者８０は上述した取付方法により腰に当接するタックル１２によりひざ掛け１０を腰に固定するとともに、足首に当接するタックル１１ａ、１１ｂによりひざ掛け１０を足首に固定して椅子８１に着座している。
【００４０】
着座した利用者８０がひざ掛け１０を外して椅子８１から離れる際には、タックル１１ａ、１１ｂ及びタックル１２は足首や腰に巻き付いて把持しているのみであるため、利用者８０はタックル１１ａ、１１ｂ及びタックル１２を足首や腰から手間を掛けずに引っ張るなどして容易に取り外すことができる。
【００４１】
また、着座した利用者８０がひざ掛け１０をしたまま椅子８１から離れる際には、タックル１１ａ、１１ｂ及びタックル１２が足首や腰に巻き付いて把持しているため、ひざ掛け１０を取り外す動作をしない限りそのままの状態（ひざ掛け１０を付けた状態）で移動することができ、再度そのままの状態で着座することができる。
【００４２】
また、図１に示すひざ掛け１０ではひざ掛け１０の生地の横幅（タックル１２が伸長する方向の幅）はタックル１２の長さと略同一であるが、タックル１２の長さよりも長くしてもよい。これにより、着座した際などに腰回りや臀部回りを覆うことが可能となり、冷えを更に防止することが可能となる。
【産業上の利用可能性】
【００４３】
本考案に係るひざ掛けは、巻くなどの手間を掛けずに足元からの冷えを防ぐことができるため、産業上の利用可能性を有している。
【符号の説明】
【００４４】
１０  ひざ掛け
１１（１１ａ、１１ｂ）  タックル
１２  腰用のタックル
１３（１３ａ、１３ｂ）  膝用のタックル
１４（１４ａ、１４ｂ）  ふくらはぎ用のタックル
１５  収納部
３０  足の裏側
３１  脛付近
４０  外側フリース
６０  フード
７０  ボタン
８０  利用者
８１  椅子  
【図１】
0003227688.tif 000003
【図２】
0003227688.tif 000004
【図３】
0003227688.tif 000005
【図４】
0003227688.tif 000006
【図５】
0003227688.tif 000007
【図６】
0003227688.tif 000008
【図７】
0003227688.tif 000009
【図８】
0003227688.tif 000010
【図９】
0003227688.tif 000011
【図１０】
0003227688.tif 000012
【手続補正書】
【提出日】令和2年6月15日(2020.6.15)
【手続補正１】
【補正対象書類名】実用新案登録請求の範囲
【補正対象項目名】全文
【補正方法】変更
【補正の内容】
【実用新案登録請求の範囲】
【請求項１】
少なくとも腰から足首までを覆うひざ掛けであって、
前記ひざ掛けの一部分であって前記足首に当接する部分に、力を加えると巻き付くようにして丸まり、物を把持するように構成されたタックルを備えることを特徴とするひざ掛け。
【請求項２】
前記タックルは２つ備えられ、それぞれのタックルが左右それぞれの前記足首に巻き付き把持可能なように構成されたことを特徴とする請求項１に記載のひざ掛け。
【請求項３】
前記ひざ掛けの一部分であって左右それぞれの足の膝及び／又はふくらはぎに当接する部分に、前記タックルとは別のタックルが配置されていることを特徴とする請求項１又は２に記載のひざ掛け。
【請求項４】
前記ひざ掛けの一部分であって前記腰に当接する部分に前記タックルとは別の腰用のタックルを備えることを特徴とする請求項１から３のいずれか１項に記載のひざ掛け。
【請求項５】
前記各タックルは前記ひざ掛けから着脱可能に構成されたことを特徴とする請求項１から４のいずれか１項に記載のひざ掛け。